(57)【要約】【課題】ベッドの左側部分または右側部分の上昇・下降運動のみならず、当該上昇・下降運動と背上げ／足上げ運動とを組み合わせることを実現するベッドの旋回部を支持するための装置および該装置を用いた床ずれ防止装置を提供すること。【解決手段】構造体の固定部に旋回自在に設けられたブラケットと、該ブラケットに設けられ、前記構造体の旋回部を支持する支持部と前記ブラケットに一端が固定され、他端が駆動手段に繰り出し自在に固定されたワイヤーケーブルとからなることを特徴としている。【選択図】　　　　図１
2004136029.tif 000002
【特許請求の範囲】
【請求項１】
構造体の固定部に旋回自在に設けられたブラケットと、
該ブラケットに設けられ、前記構造体の旋回部を支持する支持部と
前記ブラケットに一端が固定され、他端が駆動手段に繰り出し自在に固定されたワイヤーケーブル
とからなる構造体の旋回部を支持するための装置。
【請求項２】
前記構造体の固定部に第２のブラケットが旋回自在に設けられ、当該第２のブラケットに一端が固定され、前記ブラケットに他端が固定された第２のワイヤーケーブルを備えてなる請求項１記載の装置。
【請求項３】
前記構造体の固定部にさらに第３のブラケットが旋回自在に設けられ、当該第３のブラケットに一端が固定され、前記第２のブラケットに他端が固定された第３のワイヤーケーブルを備えてなる請求項２記載の装置。
【請求項４】
前記構造体がベッドであり、前記構造体の旋回部が該ベッドの床部であり、該床部が長手方向の軸に関して左側部分と右側部分とに分割され、当該左側部分と右側部分とがそれぞれ請求項１、２または３記載の装置によって支持されてなるベッドの旋回部を支持するための装置を用いた床ずれ防止装置。
【発明の詳細な説明】
【０００１】
【発明の属する技術分野】
本発明は、ベッドの旋回部を支持するための装置および該装置を用いた床ずれ防止装置に関する。さらに詳しくは、構造体の固定部に旋回自在に設けられたブラケットと、該ブラケットに設けられ、前記構造体の旋回部を支持する支持部と前記ブラケットに一端が固定され、他端が駆動手段に繰り出し自在に固定されたワイヤーケーブルとからなる構造体の旋回部を支持するための装置を用いた床ずれ防止装置に関する。
【０００２】
【従来の技術】
介護用のベッドとして、ベッド上の床面を覆うように広げられた通気性を有するシートの左右両側縁を、モータの回転力をチェーンを介して独立したリンク機構によって交互または同時に上下動させて、身体支持面を水平にしたり支持面の片側だけを傾斜させたりすることによって身体の姿勢変更もしくは支持状態変更を周期的または間欠的に行なうことにより床ずれの発症を防止する装置が従来より知られている（例えば、特許文献１参照）。
【０００３】
また、ベッド支柱とベッド枠および可動形ベッド床から構成されるベッドであって、当該可動形ベッド床は縦方向に分割されて、折り畳むことができ、ベッド下部の土台部にはモータ軸を左右に動かすことができるリニア型モータが取りつけられ、当該モータ軸には連結軸が設けられており、この連結軸に取りつけられた可動ジョイントには、弓形レバーが接続されており、かかる構成により、モータが稼動すると、モータ軸と連結軸とは、可動ジョイントを介して弓形レバーが可動形ベッド床の片面を持ち上げることができ、床ずれが防止されるというベッドも従来より知られている（例えば、特許文献２参照）。
【０００４】
さらに、患者が横たわるに充分な面積をもち、裏側に揺動軸が固定された床部を備えたベッドであって、この床部の左右の端部の高さ位置は中央の部分より高くされており、床部の床面が円弧状の凹部形状になっており、床部の最底部には揺動軸が設けられており、該揺動軸の一端は軸受に支持され、他端は電動モータに連結されており、かかる構成により、電動モータにより揺動軸が回転すると、該揺動軸を中心として床部が左右方向に揺動され、床面の左右の端部の上下方向の位置を変化させることができるというベッドも従来より知られている（例えば、特許文献３参照）。
【０００５】
【特許文献１】
特開２００２−１７７９２号公報（第３−４頁）
【特許文献２】
実用新案登録第３０７１９５６号公報（第８−９頁）
【特許文献３】
特開２０００−３４２６３３号公報（第２−３頁）
【０００６】
【発明が解決しようとする課題】
叙上の特開２００２−１７７９２号公報および実用新案登録第３０７１９５６号公報に開示されたベッドの場合、ベッドに対して可動用装置の構造が複雑である。また、ベッドの左側部分または右側部分全体が同時に上昇・下降されるため、ベッドの左側部分または右側部分の上昇・下降運動と、背上げ／足上げ運動とを組み合わせることができないという欠点がある。
【０００７】
また、特開２０００−３４２６３３号公報に開示されたベッドの場合、床面を左右に揺動させることができるにすぎず、ベッドの左側部分または右側部分の上昇・下降運動ができないばかりでなく、背上げ／足上げ運動とを組み合わせることもできない。
【０００８】
本発明の目的は、叙上の従来の介護用ベッドの欠点を解消し、ベッドの左側部分または右側部分の上昇・下降運動のみならず、当該上昇・下降運動と背上げ／足上げ運動とを組み合わせることを実現するベッドの旋回部を支持するための装置および該装置を用いた床ずれ防止装置を提供することである。
【０００９】
【課題を解決するための手段】
本発明の第１の態様である構造体の旋回部を支持するための装置は、構造体の固定部に旋回自在に設けられたブラケットと、
該ブラケットに設けられ、前記構造体の旋回部を支持する支持部と
前記ブラケットに一端が固定され、他端が駆動手段に繰り出し自在に固定されたワイヤーケーブル
とからなることを特徴としている。
【００１０】
また、前記構造体の固定部に第２のブラケットが旋回自在に設けられ、当該第２のブラケットに一端が固定され、前記ブラケットに他端が固定された第２のワイヤーケーブルを備えてなることが好ましい。
【００１１】
また、前記構造体の固定部にさらに第３のブラケットが旋回自在に設けられ、当該第３のブラケットに一端が固定され、前記第２のブラケットに他端が固定された第３のワイヤーケーブルを備えてなることが好ましい。
【００１２】
本発明の第２の態様であるベッドの旋回部を支持するための装置を用いた床ずれ防止装置は、前記構造体の旋回部を支持するための装置において、構造体がベッドであり、前記構造体の旋回部が該ベッドの床部であり、該床部が長手方向の軸に関して左側部分と右側部分とに分割され、当該左側部分と右側部分とがそれぞれ前記装置によって支持されてなることを特徴としている。
【００１３】
【発明の実施の形態】
図１は、本発明の構造体の旋回部を支持するための装置を示す説明図であり、図２は図１の装置を用いて構造体を旋回している状態を示す説明図、図３は図１の装置が設けられた介護用ベッドの側面説明図、図４は図３の介護用ベッドの平面図である。
【００１４】
図１〜４を参照すると、請求項１において規定した構造体として機能するベッド組立構造体の固定部Ａ１に、本発明の構造体の旋回部を支持するための装置（以下、装置という）１、１０、２０の構成要素である、ブラケットと支持部と該ブラケットに一端が固定され、他端が駆動手段に繰り出し自在に固定されたワイヤーケーブルとが取付板３を介して設けられている。しかしながら、取付板３自体は本発明の装置に必須の構成要件ではなく、ブラケットと支持部と該ブラケットに一端が固定され、他端が駆動手段に繰り出し自在に固定されたワイヤーケーブルとはベッド組立構造体の固定部に直接取り付けることができる。なお、本実施の形態における取付板３はボルト・ナット４により固着されている。取付板３には、軸Ｓが突設されており、この軸Ｓに略三角形状を呈したブラケット５の頂点付近が枢支されているので、ブラケット５は軸Ｓの回りを回転することができる。取付板３には軸６ａが突設されており、この軸６ａにプーリ６ｂが回転自在に支持されている。
【００１５】
ブラケット５の他の頂点付近には第１のピンＰ１が突設されており、さらに他の頂点付近には軸５ａが突設されており、この軸５ａにベッド組立構造体の旋回部Ａ２を押圧し支持するための支持部として機能するローラ５ｂが回転自在に支持されている。
【００１６】
また、第１のピンＰ１と軸５ａとの間には第２のピンＰ２が突設されている。
【００１７】
請求項１〜４において規定されているワイヤーケーブル２、１２、２２は図３のように配索されている。
【００１８】
図１、２および３を参照すると、ワイヤーケーブル２は、導管２ａ、該導管２ａ内に摺動自在に挿入された内索２ｂとから構成されており、ワイヤーケーブル２の導管２ａの一端は取付板３に端末固定具２ｄを介して固定されている。導管２ａの一端から外に導出された内索２ｂはプーリ６ｂに掛け回されたのち、ブラケット５に突設されたピンＰ１に内索２ｂに設けられたアイエンド２ｃが挿入され、該ピンＰ１に割りピン２ｅを取りつけてアイエンド２ｃがピンＰ１から脱落しないようにされている。内索２ｂの他端は図３に示されるように、本発明のワイヤーケーブルなどのいわゆるコントロールケーブルの駆動装置によって繰り出されたり、引き込まれたりする。
【００１９】
同様にワイヤーケーブル１２は、導管１２ａ、該導管１２ａ内に摺動自在に挿入された内索１２ｂとから構成されており、ワイヤーケーブル１２の導管１２ａの一端は取付板３に端末固定具１２ｄを介して固定されている。導管１２ａの一端から外に導出された内索１２ｂは、ブラケット５に突設されたピンＰ２に内索１２ｂに設けられたアイエンド２ｃが挿入され、該ピンＰ２に割りピン２ｅを取りつけてアイエンド２ｃがピンＰ２から脱落しないようにされている。ワイヤーケーブル１２の導管１２ａの他端は取付板を介して第２の装置１０（構造は装置１と同一である）のプーリ６ｂに掛け回されたのち、ブラケット５に突設されたピンＰ１に内索１２ｂに設けられたアイエンド２ｃが挿入され、該ピンＰ１に割りピン２ｅを取りつけてアイエンド２ｃがピンＰ１から脱落しないようにされている。
【００２０】
叙上のとおりに構成される本発明の装置１は、図２に示されるように、駆動装置Ｍ（図３参照）を駆動させることにより内索２ｂを矢印Ｆ１の方向に引くと、ブラケット５は軸Ｓの回りを時計方向（矢印Ｇの方向）に回転し、ローラ５ｂが上昇し、ローラ５ｂがベッドの旋回部Ａ２を押圧する。その結果、旋回部Ａ２がベッドの長手方向の軸Ｘ（図４参照）の回りを旋回する。駆動装置Ｍ自体は公知であり（たとえば、特開平５−２０２６７４号公報）、電動モータと、該電動モータの出力軸に連結されたワイヤーケーブルを巻き取りかつ送り出すためのケーブルドラムとから構成されている。また、本発明の装置に適用される駆動装置Ｍのスイッチについても公知のものが採用され得る（たとえば、特開平５−２０２６７４号公報）。また、特開平５−２０２６７４号公報には、ケーブルドラムの上端面に多数個のスリットを有する磁性体（たとえば、鉄）が円周方向に配されたプレートが開示されている。このケーブルドラムとプレートとが駆動部内に収納されたのち、ハウジングキャップによって覆われている。そして、このハウジングキャップには、前記多数個のスリットと対応するように近接スイッチが取り付けられている。この近接スイッチによって、前記プレートの回転に伴い通過するスリットの個数が計測され、ケーブルドラムの回転量が検出される。特開平５−２０２６７４号公報に開示されているとおりの開閉スイッチを本発明の駆動装置Ｍとして適用する場合、スライド自在のボタンを後述する旋回部Ａ２の旋回角度（０、５、１０、１５度）に対応する目盛をスイッチ本体に表示すればよい。この目盛にボタンがセットされた位置における電圧値などの旋回角度信号がコントロールボックスに送られると、コントロールボックスではスイッチからの旋回角度信号を検知して電動モータが駆動される。旋回部を所望の角度だけ旋回させ、停止させる原理については、特開平５−２０２６７４号公報に開示されている。
【００２１】
また、装置１におけるブラケット５のピンＰ２にはワイヤーケーブル１２の内索１２ｂが固着されており、ブラケット５の軸Ｓの回りの回転に伴い、矢印Ｆ２の方向に引かれる。図３に示されるように、当該ワイヤーケーブル１２は装置１０に配索され、叙上のとおり、ワイヤーケーブル１２の内索１２ｂが装置１０のプーリ６ｂを介してブラケット５に固着されている。したがって、装置１における内索１２の矢印Ｆ２方向への引き操作に伴い、装置１０においては内索１２が矢印Ｆ１の方向に引かれる。その結果、装置１０のブラケット５が装置１のブラケット５と同様に軸Ｓの回りを矢印Ｇの方向に回転し、ローラ５ｂにより旋回部材Ａ２ａがベッドの長手方向の軸Ｘの回りを旋回する。
【００２２】
当該装置１０におけるブラケット５の矢印Ｇ方向の旋回に伴い、図３に示されるワイヤーケーブル２２の内索により装置２０のブラケット５が装置１および１０と同一の方向に回転し、旋回部Ａ２ｂがベッドの長手方向の軸Ｘの回りを旋回する。
【００２３】
叙上のとおり、本発明の装置１、１０、２０によるベッドの長手方向の軸Ｘに関して右側の旋回部Ａ２、Ａ２ａ、Ａ２ｂの旋回運動を説明したが、ベッドの長手方向の軸Ｘに関して左側の旋回部Ａ２′、Ａ２ａ′、Ａ２ｂ′も右側の旋回部Ａ２、Ａ２ａ、Ａ２ｂと同様の旋回運動を行なう。
【００２４】
また、本実施の形態では、ベッドの長手方向の軸Ｘに関して左右それぞれ３つの旋回部を有しているが、左右３つに限定されることはなく、左右１つ、左右２つ、左右４つ以上のものも勿論本発明に含まれる。さらに、左右いずれか一方にのみ１または２以上の旋回部をもつものも勿論本発明に含まれる。
【００２５】
図１〜３に示されるように、本発明の装置１、１０、２０はきわめて構造が単純で、かつ小さいので、背上げ／足上げ運動（図４のベッドの横断方向の軸Ｙ１およびＹ２の回りの運動）機構と併用することが可能である。この背上げ／足上げ運動にも本発明の装置が適用される。
【００２６】
【発明の効果】
ベッドの左側部分または右側部分の上昇・下降運動のみならず、当該上昇・下降運動と背上げ／足上げ運動とを組み合わせることを実現するベッドの旋回部を支持するための装置および該装置を用いた床ずれ防止装置が提供される。
【図面の簡単な説明】
【図１】本発明の構造体の旋回部を支持するための装置を示す説明図である。
【図２】図１の装置を用いて構造体を旋回している状態を示す説明図である。
【図３】図１の装置が設けられた介護用ベッドの側面説明図である。
【図４】図３の介護用ベッドの平面図である。
【符号の説明】
１、１０、２０　　装置
２、１２、２２　　ワイヤーケーブル
２ａ、１２ａ　　　導管
２ｂ、１２ｂ　　　内索
２ｃ　　　　　　　アイエンド
２ｄ、１２ｄ　　　端末固定具
２ｅ　　　　　　　割りピン
３　　　　　　　　取付板
４　　　　　　　　ボルトナット
５　　　　　　　　ブラケット
５ａ、６ａ　　　　軸
Ａ１　　　　　　　固定部
Ａ２　　　　　　　旋回部
Ｐ１、Ｐ２　　　　ピン
Ｓ　　　　　　　　軸
【図１】
2004136029.tif 000003
【図２】
2004136029.tif 000004
【図３】
2004136029.tif 000005
【図４】
2004136029.tif 000006